(57)【要約】【課題】  簡易な操作方法で、短時間に電話番号の入力（修正）を行う。【解決手段】  ハンズフリー通話システム１００は、電話番号をそれぞれ複数桁の数字で構成されるｎ組（ｎは２以上の整数）の数字列に論理的に分割し、それぞれがいずれかの数字列に対応する複数のキーを備えたシックスキー１６と、シックスキー１６操作態様に応じて対応する数字列が表す数値を更新する際の増分あるいは減少分を予め定めた値とする制御装置１２と、操作対象の電話番号を表示する表示装置１５と、を備える。【選択図】      図１
2005244284.tif 000002
【特許請求の範囲】
【請求項１】
任意の電話番号を入力するための電話番号入力装置において、
前記電話番号をそれぞれ複数桁の数字で構成されるｎ組（ｎは２以上の整数）の数字列に論理的に分割し、それぞれがいずれかの数字列に対応する複数の操作部と、
前記操作部の操作態様に応じて対応する前記数字列が表す数値を更新する際の増分あるいは減少分を予め定めた値とする操作制御部と、
操作対象の前記電話番号を表示する表示部と、
を備えたことを特徴とする電話番号入力装置。
【請求項２】
請求項１記載の電話番号入力装置において、
前記操作部は、対応する数字列が表す数値を所定量だけ増加させる第１のキーと、
対応する数字列が表す数値を所定量だけ減少させる第２のキーと、
を備えたことを特徴とする電話番号入力装置。
【請求項３】
請求項２記載の電話番号入力装置において、
前記操作制御部は、いずれかの前記操作部の前記第１のキーと、前記第２のキーとが同時に押し下げられた場合に、当該操作部が対応する数字列の未入力上位桁に０を一桁または複数桁入力することを特徴とする電話番号入力装置。
【請求項４】
請求項３記載の電話番号入力装置において、
前記操作制御部は、いずれかの前記操作部の前記第１のキーと、前記第２のキーとが同時に押し下げられ、かつ、押し下げ時間が所定の長押し時間以上である場合に、当該操作部が対応する数字列を未入力状態に移行させることを特徴とする電話番号入力装置。
【請求項５】
請求項２ないし請求項４のいずれかに記載の電話番号入力装置において、
前記操作態様は、前記操作部におけるキーの押し下げ時間が、第１の長押し時間未満である場合、第１の長押し時間以上であって、第２の長押し時間未満である場合あるいは第２の長押し時間以上である場合のいずれかであることを特徴とする電話番号入力装置。
【請求項６】
請求項５記載の電話番号入力装置において、
前記増分あるいは減少分は、前記操作部におけるキーの押し下げ時間が、第１の長押し時間未満である場合には第１所定値であり、第１の長押し時間以上であって、第２の長押し時間未満である場合には、第１の所定値より大きい第２の所定値であり、第２の長押し時間以上である場合には、第２の所定値より大きい第３の所定値であることを特徴とする電話入力装置。
【請求項７】
任意の電話番号を入力するための電話番号入力装置の制御方法において、
前記電話番号入力装置は、前記電話番号をそれぞれ複数桁の数字で構成されるｎ組（ｎは２以上の整数）の数字列に論理的に分割し、それぞれがいずれかの数字列に対応する複数の操作部を有し、
前記操作部の操作態様に応じて対応する前記数字列が表す数値を更新する際の増分あるいは減少分を予め定めた値とする操作制御過程と、
操作対象の前記電話番号を表示する表示過程と、
を備えたことを特徴とする電話番号入力装置の制御方法。
【請求項８】
任意の電話番号を入力するための電話番号入力装置をコンピュータにより制御するための制御プログラムにおいて、
前記電話番号入力装置は、前記電話番号をそれぞれ複数桁の数字で構成されるｎ組（ｎは２以上の整数）の数字列に論理的に分割し、それぞれがいずれかの数字列に対応する複数の操作部を有し、
前記操作部の操作態様に応じて対応する前記数字列が表す数値を更新する際の増分あるいは減少分を予め定めた値とさせ、
操作対象の前記電話番号を表示させる、
ことを特徴とする制御プログラム。
【請求項９】
請求項８記載の制御プログラムにおいて、
前記操作部は、対応する数字列が表す数値を所定量だけ増加させる第１のキーと、対応する数字列が表す数値を所定量だけ減少させる第２のキーと、を有し、
いずれかの前記操作部の前記第１のキーと、前記第２のキーとが同時に押し下げられた場合に、当該操作部が対応する数字列の未入力上位桁に０を一桁または複数桁入力させる、
ことを特徴とする制御プログラム。
【請求項１０】
請求項９記載の制御プログラムにおいて、
いずれかの前記操作部の前記第１のキーと、前記第２のキーとが同時に押し下げられ、かつ、押し下げ時間が所定の長押し時間以上である場合に、当該操作部が対応する数字列を未入力状態に移行させる、
ことを特徴とする制御プログラム。
【請求項１１】
請求項９または請求項１０のいずれかに記載の制御プログラムにおいて、
前記操作態様は、前記操作部におけるキーの押し下げ時間が、第１の長押し時間未満である場合、第１の長押し時間以上であって、第２の長押し時間未満である場合あるいは第２の長押し時間以上である場合のいずれかであることを特徴とする制御プログラム。
【請求項１２】
請求項１１記載の制御プログラムにおいて、
前記増分あるいは減少分は、前記操作部におけるキーの押し下げ時間が、第１の長押し時間未満である場合には第１所定値とさせ、第１の長押し時間以上であって、第２の長押し時間未満である場合には、第１の所定値より大きい第２の所定値とさせ、第２の長押し時間以上である場合には、第２の所定値より大きい第３の所定値とさせる、
ことを特徴とする制御プログラム。
【請求項１３】
請求項８ないし請求項１２のいずれかに記載の制御プログラムを記録したことを特徴とするコンピュータ読取可能な記録媒体。
【発明の詳細な説明】
【技術分野】
【０００１】
本発明は、電話番号入力装置、電話番号入力装置の制御方法、制御プログラム及び記録媒体に係り、特に車載用機器に用いられる電話番号入力装置、電話番号入力装置の制御方法、制御プログラム及び記録媒体に関する。
【背景技術】
【０００２】
従来より携帯電話をケーブル接続し、ドライバーが運転時に手で複雑な操作をすることなく通話を可能とする車載用ハンズフリー装置が知られている。
このような車載用ハンズフリー通話装置において、電話番号を入力する方式としては、テンキー入力装置を用いた装置と、音声認識装置を用いた装置とが知られている。
テンキー入力装置を用いた車載用ハンズフリー通話装置は、装置全体を制御する制御装置と、各種情報を表示する表示装置と、数字等を入力するためのテンキー入力装置と、を備えている。
【０００３】
上記構成において、発信する際には、制御装置は、テンキー入力装置のキー入力判定を行い、入力されたキー操作に対応して表示装置に電話番号を表示させるとともに、携帯電話に発信処理を行わせるべくコマンドを発行する。また、ユーザが任意の電話番号を入力する際には、テンキー入力装置を操作し、表示装置に表示される電話番号を確認しながら入力するようになっていた。
【０００４】
また、音声認識装置を用いた車載用ハンズフリー通話装置は、装置全体を制御する制御装置と、各種情報を表示する表示装置と、数字等を音声認識させて入力するための音声認識装置と、を備えている（例えば、特許文献１参照）。
上記構成において、発信する際には、音声認識装置は、ユーザがマイクを介して入力した音声の認識を行う。音声認識装置の認識結果が入力された制御装置は、認識結果（例えば、氏名など）に対応する電話番号を検索し、検索結果として表示装置に電話番号を表示させるとともに、携帯電話に発信処理を行わせるべくコマンドを発行する。また、ユーザが任意の電話番号を入力する際には、音声認識装置を介して数字を音声で入力し、表示装置に表示される電話番号を確認しながら入力するようになっていた。
【特許文献１】特開２０００−２７５０５６号公報
【発明の開示】
【発明が解決しようとする課題】
【０００５】
しかしながら、上記従来のテンキー入力装置を用いた車載用ハンズフリー装置においては、テンキー入力装置の操作部がドライバー周辺に配置されることを考慮すると、装置の操作パネルの大きさが自ずと制限され、必ずしも「０」〜「９」の操作キーのサイズを操作に適した大きさにできるとは限らず、操作性も低下するという問題点があった。
【０００６】
また、上記従来の音声認識装置を用いた車載用ハンズフリー装置においては、周囲の走行ノイズなどにより音声認識の認識率が随時変動し、入力の手間が必ずしも簡略化さず、ユーザが煩わしさを感じてしまうという問題点があった。
そこで、本発明の目的は、簡易な操作方法で、短時間に電話番号の入力（修正）が行える電話番号入力装置、電話番号入力装置の制御方法、制御プログラム及び記録媒体を提供することにある。
【課題を解決するための手段】
【０００７】
上記課題を解決するため、任意の電話番号を入力するための電話番号入力装置は、前記電話番号をそれぞれ複数桁の数字で構成されるｎ組（ｎは２以上の整数）の数字列に論理的に分割し、それぞれがいずれかの数字列に対応する複数の操作部と、前記操作部の操作態様に応じて対応する前記数字列が表す数値を更新する際の増分あるいは減少分を予め定めた値とする操作制御部と、操作対象の前記電話番号を表示する表示部と、を備えたことを特徴としている。
上記構成によれば、操作制御部は、操作部の操作態様に応じて対応する数字列が表す数値を更新する際の増分あるいは減少分を予め定めた値とする。
これにより表示部は、操作対象の前記電話番号を表示する。
【０００８】
この場合において、前記操作部は、対応する数字列が表す数値を所定量だけ増加させる第１のキーと、対応する数字列が表す数値を所定量だけ減少させる第２のキーと、
を備えるようにしてもよい。
また、前記操作制御部は、いずれかの前記操作部の前記第１のキーと、前記第２のキーとが同時に押し下げられた場合に、当該操作部が対応する数字列の未入力上位桁に０を一桁または複数桁入力するようにしてもよい。
【０００９】
さらに、前記操作制御部は、いずれかの前記操作部の前記第１のキーと、前記第２のキーとが同時に押し下げられ、かつ、押し下げ時間が所定の長押し時間以上である場合に、当該操作部が対応する数字列を未入力状態に移行させるようにしてもよい。
さらにまた、前記操作態様は、前記操作部におけるキーの押し下げ時間が、第１の長押し時間未満である場合、第１の長押し時間以上であって、第２の長押し時間未満である場合あるいは第２の長押し時間以上である場合のいずれかであるようにしてもよい。
【００１０】
また、前記増分あるいは減少分は、前記操作部におけるキーの押し下げ時間が、第１の長押し時間未満である場合には第１所定値であり、第１の長押し時間以上であって、第２の長押し時間未満である場合には、第１の所定値より大きい第２の所定値であり、第２の長押し時間以上である場合には、第２の所定値より大きい第３の所定値であるようにしてもよい。
【００１１】
また、任意の電話番号を入力するための電話番号入力装置の制御方法は、前記電話番号入力装置は、前記電話番号をそれぞれ複数桁の数字で構成されるｎ組（ｎは２以上の整数）の数字列に論理的に分割し、それぞれがいずれかの数字列に対応する複数の操作部を有し、前記操作部の操作態様に応じて対応する前記数字列が表す数値を更新する際の増分あるいは減少分を予め定めた値とする操作制御過程と、操作対象の前記電話番号を表示する表示過程と、を備えたことを特徴としている。
【００１２】
また、任意の電話番号を入力するための電話番号入力装置をコンピュータにより制御するための制御プログラムは、前記電話番号入力装置は、前記電話番号をそれぞれ複数桁の数字で構成されるｎ組（ｎは２以上の整数）の数字列に論理的に分割し、それぞれがいずれかの数字列に対応する複数の操作部を有し、前記操作部の操作態様に応じて対応する前記数字列が表す数値を更新する際の増分あるいは減少分を予め定めた値とさせ、操作対象の前記電話番号を表示させる、ことを特徴としている。
【００１３】
この場合において、前記操作部は、対応する数字列が表す数値を所定量だけ増加させる第１のキーと、対応する数字列が表す数値を所定量だけ減少させる第２のキーと、を有し、いずれかの前記操作部の前記第１のキーと、前記第２のキーとが同時に押し下げられた場合に、当該操作部が対応する数字列の未入力上位桁に０を一桁または複数桁入力させるようにしてもよい。
【００１４】
また、いずれかの前記操作部の前記第１のキーと、前記第２のキーとが同時に押し下げられ、かつ、押し下げ時間が所定の長押し時間以上である場合に、当該操作部が対応する数字列を未入力状態に移行させるようにしてもよい。
さらに、前記操作態様は、前記操作部におけるキーの押し下げ時間が、第１の長押し時間未満である場合、第１の長押し時間以上であって、第２の長押し時間未満である場合あるいは第２の長押し時間以上である場合のいずれかであるようにしてもよい。
【００１５】
さらにまた、前記増分あるいは減少分は、前記操作部におけるキーの押し下げ時間が、第１の長押し時間未満である場合には第１所定値とさせ、第１の長押し時間以上であって、第２の長押し時間未満である場合には、第１の所定値より大きい第２の所定値とさせ、第２の長押し時間以上である場合には、第２の所定値より大きい第３の所定値とさせるようにしてもよい。
また、上記いずれかに記載の制御プログラムをコンピュータ読取可能な記録媒体に記録することも可能である。
【発明の効果】
【００１６】
本発明によれば、簡易な操作方法で、短時間に電話番号の入力（修正）が行える。
【発明を実施するための最良の形態】
【００１７】
次に本発明の好適な実施の形態について図面を参照して説明する。
［１］第１実施形態
図１は実施形態のハンズフリー通話システムの概要構成ブロック図である。
ハンズフリー通話システム１００は、大別すると、携帯電話端末１０と、ハンズフリー通話装置１１と、を備えている。
【００１８】
ハンズフリー通話装置１１は、装置全体を制御する制御装置１２と、音声を入力するためのマイク１３と、音声を出力するためのスピーカ１４と、各種情報を表示する表示装置１５と、シックスキー１６が設けられ、各種操作を行うため操作入力部１７と、を備えている。
この場合において、制御装置１２は、制御プログラムおよび制御用データを予め記憶したＲＯＭと、各種データを一時的に記憶するＲＡＭと、制御プログラムに基づいて各種演算および制御を行うＭＰＵと、を備えている。
【００１９】
図２は第１実施形態のハンズフリー通話装置の一例の正面図である。
ハンズフリー通話装置１１は、本実施形態では、車載用オーディオ装置として構成されており、正面パネル２０には、ＣＤ、ＤＶＤなどの光ディスクを挿入するディスク挿入口２１と、光ディスクを取り出す（イジェクトする）ためのイジェクトボタン２２と、光ディスクの再生時に再生トラックを選択したり、各種選択項目の選択操作を行うための調整キー２３と、表示装置１５を構成し、電話番号を含む各種情報を表示するディスプレイパネル２４と、６個のキーが設けられ、各種選択操作、指示操作を行うためのシックスキー１６と、ハンズフリー通話における発信操作あるいは着信操作を行う電話（ＴＥＬ）キー２５と、音量を調整するためのロータリーダイアル２６と、再生ソース（音源）を選択するためのソース切替キー２７と、を備えている。
【００２０】
ここで、電話番号入力時におけるシックスキー１６の機能について説明する。
まず、シックスキー１６の構成について説明する。以下の説明においては、電話番号を市外局番、市内局番、端末番号の３つに分けて考えるものとし、市外局番、市内局番および端末番号は最大４桁（１の位〜１０００の位）の範囲で入力が行われるものとする。
シックスキー１６は、第１キーＫ１と、第２キーＫ２と、第３キーＫ３と、第４キーＫ４と、第５キーＫ５と、第６キーＫ６と、を備えている。
【００２１】
図３は、第１実施形態におけるシックスキーの操作対応説明図である。
第１キーＫ１および第２キーＫ２は、市外局番を指定して入力するための市外局番指定部として機能しており、第１キーＫ１の操作態様に応じて市外局番に対応する番号の値を増加（インクリメント）させる制御が行われ、第２キーＫ２の操作態様に応じて市外局番に対応する番号の値を減少（デクリメント）させる制御が行われる。
【００２２】
第３キーＫ３および第４キーＫ４は、市内局番を指定して入力するための市内局番指定部として機能しており、第３キーＫ３の操作態様に応じて市内局番に対応する番号の値を増加（インクリメント）させる制御が行われ、第４キーＫ４の操作態様に応じて市内局番に対応する番号の値を減少（デクリメント）させる制御が行われる。
第５キーＫ５および第６キーＫ６は、端末番号を指定して入力するための端末番号指定部として機能しており、第５キーＫ５の操作態様に応じて端末番号の値を増加（インクリメント）させる制御が行われ、第６キーＫ６の操作態様に応じて端末番号の値を減少（デクリメント）させる制御が行われる。
【００２３】
この場合において、各キーＫ１〜Ｋ６の操作内容は押し下げ時間に応じて異なるように設定されている。
より詳細には、各キーＫ１〜Ｋ６の押し下げ時間が、第１の長押し時間未満である場合には（図中、「通常押し」と示す）、１だけ増加あるいは減少する処理が行われる。具体的には、第１キーＫ１が通常押しされた場合には、市外局番の番号が＋１される。また、第４キーＫ４が通常押しされた場合には、市内局番の番号が−１される。
【００２４】
また、各キーＫ１〜Ｋ６の押し下げ時間が、第１の長押し時間以上であって、第２の長押し時間未満である場合には（図中、「長押し」と示す）、対応する数値を１０だけ増加あるいは減少する処理が行われる。具体的には、第２キーＫ１が長押しされた場合には、市外局番の番号が−１０される。また、第３キーＫ３が長押しされた場合には、市内局番の番号が＋１０される。
【００２５】
さらに、各キーＫ１〜Ｋ６の押し下げ時間が、第２の長押し時間以上である場合には（図中、「超長押し」と示す）である場合には、対応する数値を１００だけ増加あるいは減少する処理が行われる。具体的には、第５キーＫ５が超長押しされた場合には、端末番号が＋１００される。また、第６キーＫ６が超長押しされた場合には、端末番号が−１００される。
【００２６】
さらに、第１キーＫ１と、第２キーＫ２と、を同時、かつ、押し下げ時間が、第１の長押し時間未満である場合には（図中、「同時押し」と示す）、現在入力されている市外局番の上位桁に「０」を挿入する市外局番部ゼロパディング処理がなされる。
【００２７】
具体的には、現在入力されている市外局番が「＿＿＿３」（＿は未入力を示す。以下同様。）である場合には、最終的に入力される番号として「３」、「０３」、「００３」あるいは「０００３」である可能性がある。このような場合には、第１キーＫ１および第２キーＫ２を同時押しすることにより、１回の同時押しで１つの「０」が未入力の上位桁に挿入される。
同様に第３キーＫ３および第４キーＫ４を同時押しすると、現在入力されている市内局番の未入力の上位桁に「０」を挿入する市内局番部ゼロパディング処理がなされる。
【００２８】
また、第５キーＫ５および第６キーＫ６を同時押しすると、現在入力されている端末番号の未入力の上位桁に「０」を挿入する端末番号部ゼロパディング処理が同様になされる。
さらにまた、第１キーＫ１と、第２キーＫ２と、を同時、かつ、押し下げ時間が第１の長押し時間以上であって、第２の長押し時間未満である場合には（図中、「同時長押し」と示す）、市外局番をすべて未入力状態に戻す（クリアする）市外局番部クリア処理がなされる。
【００２９】
同様に第３キーＫ３および第４キーＫ４を同時長押しすると、市内局番をすべて未入力状態に戻す（クリアする）市内局番部クリア処理がなされる。
また、第５キーＫ５および第６キーＫ６を同時長押しすると、端末番号をすべて未入力状態に戻す（クリアする）端末番号部クリア処理がなされる。
【００３０】
次に第１実施形態の動作について説明する。
図４は、第１実施形態のメイン処理フローチャートである。
まず制御装置１２は、操作入力部１７において、いずれかのキーが押し下げられたか否かを判別する（ステップＳ１）。
ステップＳ１の判別において、いずれのキー２５も押し下げられていない場合には（ステップＳ１；Ｎｏ）、制御装置１２は待機状態となる。
【００３１】
ステップＳ１の判別において、いずれかのキーが押し下げられた場合には（ステップＳ１；Ｙｅｓ）、制御装置１２は、図示しない内部タイマをスタートさせ（ステップＳ２）、操作入力部１７において押されているキーを図示しないＲＡＭに記憶する（ステップＳ３）。これと同時に制御装置１２は、第１候補の発信先電話番号をディスプレイパネル２４に表示する。
【００３２】
次に制御装置１２は、キーの押し下げが終了したか否か、すなわち、キーからユーザの指が離れたか否かを判別する（ステップＳ４）。
ステップＳ４の判別において、未だキーの押し下げが終了していない場合には（ステップＳ４；Ｎｏ）、制御装置１２はそのまま待機状態となる。
ステップＳ４の判別において、キーの押し下げが終了した場合には（ステップＳ４；Ｙｅｓ）、制御装置１２は、図示しない内部タイマをストップ（停止）させる（ステップＳ５）。
【００３３】
続いて制御装置１２は、操作入力部１７において内部タイマのスタート後に押し下げられたキーが電話キー２５であったか否かを判別する（ステップＳ６）。
ステップＳ６の判別において、内部タイマのスタート後に押し下げられたキーが電話キー２５であった場合には（ステップＳ６；Ｙｅｓ）、制御装置１２は、内部タイマの計測値に基づいて電話キー２５の押し下げられた経過時間を確認する（ステップＳ７）。
【００３４】
ステップＳ７の確認において、所定時間よりも経過時間が長い場合、すなわち、電話キー２５の長押しがなされた場合には、制御装置１２は、ディスプレイパネル２４に表示した発信先電話番号から発信用電話データを生成し、携帯電話端末１０を介して発信を行い（ステップＳ９）、処理をステップＳ１に移行する。
ステップＳ７の確認において、所定時間よりも経過時間が短い場合、すなわち、電話キー２５が通常押しされた場合には、制御装置１２は、処理を再びステップＳ１に移行し待機状態となる。
【００３５】
ステップＳ６の判別において、内部タイマのスタート後に押し下げられたキーが電話キー２５ではなかった場合には（ステップＳ６；Ｎｏ）、電話番号入力処理に処理を移行する（ステップＳ１０）。
【００３６】
図５は、電話番号入力処理の処理フローチャートである。
電話番号入力処理において、制御装置１２は、操作入力部１７において押し下げられたキーが、インクリメントに対応するキー（上述の例の場合、第１キーＫ１、第３キーＫ３あるいは第５キーＫ５のいずれか）のみであったか、デクリメントに対応するキー（上述の例の場合、第２キーＫ２、第４キーＫ４あるいは第６キーＫ６のいずれか）のみであったか、あるいは、対応するインクリメントおよびデクリメントに対応するキーの組（
上述の例の場合、第１キーＫ１および第２キーＫ２の組、第３キーＫ３および第４キーＫ４の組あるいは第５キーＫ５および第６キーＫ６の組のいずれか）が同時押しされたかを判別する（ステップＳ２１）。
【００３７】
ステップＳ２１の判別において、操作入力部１７において押し下げられたキーが、インクリメントに対応するキーのみであった場合には、制御装置１２は、内部タイマの計測値に基づいて当該押し下げられたキーの押し下げられた経過時間を確認する（ステップＳ２２）。
経過時間、すなわち、キーの押し下げ時間が、第１の長押し時間未満である場合、すなわち、通常押しである場合には、当該キーに対応する数値を１増加し（ステップＳ２３）、処理をステップＳ２６に移行する。
【００３８】
また、経過時間、すなわち、キーの押し下げ時間が、第１の長押し時間以上であって、第２の長押し時間未満である場合、すなわち、長押しである場合には、当該キーに対応する数値を１０増加し（ステップＳ２４）、処理をステップＳ２６に移行する。
また、経過時間、すなわち、キーの押し下げ時間が、第２の長押し時間以上である場合、すなわち、超長押しである場合には、当該キーに対応する数値を１００増加し（ステップＳ２５）、処理をステップＳ２６に移行する。
【００３９】
そして制御装置１２は、押し下げられたキーに応じて、ディスプレイパネル２４に表示している対応する数値を増加後の値として表示し（ステップＳ２６）、処理をステップＳ１に移行する。具体的には、押し下げられたキーが第１キーＫ１である場合には市外局番の値を増加後の値に更新してディスプレイパネル２４に表示し、押し下げられたキーが第３キーＫ３である場合には市内局番の値を増加後の値に更新してディスプレイパネル２４に表示し、押し下げられたキーが第５キーＫ５である場合には端末番号の値を増加後の値に更新してディスプレイパネル２４に表示し、処理をステップＳ１に移行する。
【００４０】
ステップＳ２１の判別において、操作入力部１７において押し下げられたキーが、デクリメントに対応するキーのみであった場合には、制御装置１２は、内部タイマの計測値に基づいて当該押し下げられたキーの押し下げられた経過時間を確認する（ステップＳ２７）。
経過時間、すなわち、キーの押し下げ時間が、第１の長押し時間未満である場合、すなわち、通常押しである場合には、当該キーに対応する数値を１減少し（ステップＳ２８）、処理をステップＳ３１に移行する。
【００４１】
また、経過時間、すなわち、キーの押し下げ時間が、第１の長押し時間以上であって、第２の長押し時間未満である場合、すなわち、長押しである場合には、当該キーに対応する数値を１０減少し（ステップＳ２９）、処理をステップＳ３１に移行する。
また、経過時間、すなわち、キーの押し下げ時間が、第２の長押し時間以上である場合、すなわち、超長押しである場合には、当該キーに対応する数値を１００減少し（ステップＳ３０）、処理をステップＳ３１に移行する。
【００４２】
そして制御装置１２は、押し下げられたキーに応じて、ディスプレイパネル２４に表示している対応する数値を減少後の値として表示し（ステップＳ３１）、処理をステップＳ１に移行する。具体的には、押し下げられたキーが第２キーＫ２である場合には市外局番の値を減少後の値に更新してディスプレイパネル２４に表示し、押し下げられたキーが第４キーＫ４である場合には市内局番の値を減少後の値に更新してディスプレイパネル２４に表示し、押し下げられたキーが第６キーＫ６である場合には端末番号の値を減少後の値に更新してディスプレイパネル２４に表示し、処理をステップＳ１に移行する。
【００４３】
ステップＳ２１の判別において、対応するインクリメントおよびデクリメントに対応するキーの組が同時押しされた場合には、制御装置１２は、内部タイマの計測値に基づいて当該同時に押し下げられたキーの押し下げられた経過時間を確認する（ステップＳ３２）。
ステップＳ３２の判別において、経過時間、すなわち、同時に押し下げられたキーの押し下げ時間が、第１の長押し時間以上であって、第２の長押し時間未満である場合、すなわち、同時長押しである場合には、押し下げられたキーの組に応じて対応する数値を未入力状態とすべくクリアし（ステップＳ３３）、ディスプレイパネル２４に表示している対応する数値を未入力状態表示として（ステップＳ３４）、処理をステップＳ１に移行する。
【００４４】
ステップＳ３２の判別において、経過時間、すなわち、同時に押し下げられたキーの押し下げ時間が、第１の長押し時間未満である場合、すなわち、同時押しである場合には、ゼロパディング処理に移行し（ステップＳ３５）、処理を再びステップＳ１に移行する。
【００４５】
図６は、ゼロパディング処理の処理フローチャートである。
まず、制御装置１２は、ステップＳ２１において同時に押し下げられたと確認されたキーの組に対応する数値（指定部数値）がクリア、すなわち未入力状態となっているか否かを判別する（ステップＳ４１）。
【００４６】
ステップＳ４１の判別において、ステップＳ２１において同時に押し下げられたと確認されたキーの組に対応する数値（指定部数値）がクリア、すなわち未入力状態となっている場合には（ステップＳ４１；Ｙｅｓ）、制御装置１２は、ゼロパディング処理は不要であるので、処理を再びステップＳ１に移行する。
ステップＳ４１の判別において、ステップＳ２１において同時に押し下げられたと確認されたキーの組に対応する数値（指定部数値）が既に入力されている場合には（ステップＳ４１；Ｎｏ）、制御装置１２は、既に入力されている数値（指定部数値）が１桁か否かを判別する（ステップＳ４２）。
【００４７】
ステップＳ４２の判別において、既に入力されている数値が１桁である場合には（ステップＳ４２；Ｙｅｓ）、制御装置１２は、１０の位までゼロパディング処理が行われているか否かを判別する（ステップＳ４３）。
ステップＳ４３の判別において、１０の位までゼロパディング処理が行われていない場合には（ステップＳ４３；Ｎｏ）、制御装置１２は、１０の位のゼロパディング処理を行い（ステップＳ４４）、ゼロパディング処理結果をディスプレイパネル２４に表示して（ステップＳ５２）、処理を再びステップＳ１に移行する。
【００４８】
具体的には、既に入力されている数値が「＿＿＿３」である場合には、制御装置１２は、１０の位のゼロパディング処理を行って数値を「＿＿０３」とし、ディスプレイパネル２４に表示することとなる。
ステップＳ４３の判別において、１０の位までゼロパディング処理が行われている場合には（ステップＳ４３；Ｙｅｓ）、制御装置１２は、処理を後述するステップＳ４６に移行する。
【００４９】
ステップＳ４２の判別において、既に入力されている数値が１桁ではない場合には（ステップＳ４２；Ｎｏ）、制御装置１２は、既に入力されている数値が２桁か否かを判別する（ステップＳ４５）。
ステップＳ４５の判別において、既に入力されている数値が２桁である場合には（ステップＳ４５；Ｙｅｓ）、制御装置１２は、１００の位までゼロパディング処理が行われているか否かを判別する（ステップＳ４６）。
【００５０】
ステップＳ４６の判別において、１００の位までゼロパディング処理が行われていない場合には（ステップＳ４６；Ｎｏ）、制御装置１２は、１００の位のゼロパディング処理を行い（ステップＳ４７）、ゼロパディング処理結果をディスプレイパネル２４に表示して（ステップＳ５２）、処理を再びステップＳ１に移行する。
具体的には、既に入力されている数値が「＿＿４８」である場合には、制御装置１２は、１００の位のゼロパディング処理を行って数値を「＿０４８」とし、ディスプレイパネル２４に表示することとなる。
【００５１】
ステップＳ４６の判別において、１００の位までゼロパディング処理が行われている場合には（ステップＳ４６；Ｙｅｓ）、制御装置１２は、処理を後述するステップＳ４９に移行する。
ステップＳ４５の判別において、既に入力されている数値が２桁ではない場合には（ステップＳ４５；Ｎｏ）、制御装置１２は、既に入力されている数値が３桁か否かを判別する（ステップＳ４８）。
【００５２】
ステップＳ４８の判別において、既に入力されている数値が３桁である場合には（ステップＳ４８；Ｙｅｓ）、制御装置１２は、１０００の位までゼロパディング処理が行われているか否かを判別する（ステップＳ４９）。
ステップＳ４９の判別において、１０００の位までゼロパディング処理が行われていない場合には（ステップＳ４９；Ｎｏ）、制御装置１２は、１０００の位のゼロパディング処理を行い（ステップＳ５０）、ゼロパディング処理結果をディスプレイパネル２４に表示して（ステップＳ５２）、処理を再びステップＳ１に移行する。
【００５３】
具体的には、既に入力されている数値が「＿２６３」である場合には、制御装置１２は、１００の位のゼロパディング処理を行って数値を「０２６３」とし、ディスプレイパネル２４に表示することとなる。
ステップＳ４９の判別において、１０００の位までゼロパディング処理が行われている場合には（ステップＳ４９；Ｙｅｓ）、制御装置１２は、ゼロパディング処理を解除し、ゼロパディング解除処理後の数値をディスプレイパネル２４に表示し（ステップＳ５２）、処理を再びステップＳ１に移行する。
【００５４】
具体的には、上述の例の場合、ゼロパディング解除前の数値が「＿＿０３」である場合には、「＿＿＿３」とし、ゼロパディング解除前の数値が「＿０４８」である場合には、「＿＿４８」とし、ゼロパディング解除前の数値が「０２６３」である場合には、「＿２６３」とする。また、ゼロパディング処理前の数値が１桁でありゼロパディング解除前の数値が４桁である場合には、例えば、「０００３」である場合、「＿＿＿３」とする。また、ゼロパディング処理前の数値が２桁でありゼロパディング解除前の数値が４桁である場合には、例えば、「００４８」である場合には、「＿＿４８」とする。
【００５５】
以上の説明のように、本第１実施形態によれば、短時間で任意の電話番号を容易に入力することが可能となる。
また、電話番号の入力にテンキーを用いる必要がないので、キー数を減少させることができ、キーの設置面積が狭くても大型のキーを用いることができ、操作性を向上させることができる。
さらに電話番号を各々４桁の数字に分割して入力するので、入力しようとする数値の変化状態の予測が容易であり、操作手順を容易に把握できる。
【００５６】
［２］第２実施形態
次に第２実施形態について説明する。
本第２実施形態が異なるのは、基本的には第１キーＫ１〜第６キーＫ６の配置と対応する機能であり、図１に示したハンズフリー通話システムの概要構成については同様であるのでその詳細な説明は省略する。
【００５７】
図７は第２実施形態のハンズフリー通話装置の一例の正面図である。
ハンズフリー通話装置１１は、本実施形態では、車載用オーディオ装置として構成されており、正面パネル２０には、ＣＤ、ＤＶＤなどの光ディスクを挿入するディスク挿入口２１と、光ディスクを取り出す（イジェクトする）ためのイジェクトボタン２２と、光ディスクの再生時に再生トラックを選択したり、各種選択項目の選択操作を行うための調整キー２３と、電話番号を含む各種情報を表示するディスプレイパネル２４と、３個ずつ２列に配置された６個のキーが設けられ、各種選択操作、指示操作を行うためのシックスキー１６と、ハンズフリー通話における発信操作あるいは着信操作を行う電話（ＴＥＬ）キー２５と、音量を調整するためのロータリーダイアル２６と、再生ソース（音源）を選択するためのソース切替キー２７と、を備えている。
【００５８】
ここで、電話番号入力時におけるシックスキー１６の機能について説明する。
まず、シックスキー１６の構成について説明する。以下の説明においても第１実施形態と同様に、電話番号を市外局番、市内局番、端末番号の３つに分けて考えるものとし、市外局番、市内局番および端末番号は最大４桁（１の位〜１０００の位）の範囲で入力が行われるものとする。
シックスキー１６は、第１キーＫ１と、第２キーＫ２と、第３キーＫ３と、第４キーＫ４と、第５キーＫ５と、第６キーＫ６と、を備えている。
【００５９】
図８は、第２実施形態におけるシックスキーの操作対応説明図である。
第１キーＫ１および第４キーＫ４は、市外局番を指定して入力するための市外局番指定部として機能しており、第１キーＫ１の操作態様に応じて市外局番に対応する番号の値を増加（インクリメント）させる制御が行われ、第４キーＫ４の操作態様に応じて市外局番に対応する番号の値を減少（デクリメント）させる制御が行われる。
第２キーＫ２および第５キーＫ５は、市内局番を指定して入力するための市内局番指定部として機能しており、第２キーＫ２の操作態様に応じて市内局番に対応する番号の値を増加（インクリメント）させる制御が行われ、第５キーＫ５の操作態様に応じて市内局番に対応する番号の値を減少（デクリメント）させる制御が行われる。
【００６０】
第３キーＫ３および第６キーＫ６は、端末番号を指定して入力するための端末番号指定部として機能しており、第３キーＫ３の操作態様に応じて端末番号の値を増加（インクリメント）させる制御が行われ、第６キーＫ６の操作態様に応じて端末番号の値を減少（デクリメント）させる制御が行われる。
この場合においても、各キーＫ１〜Ｋ６の操作内容は押し下げ時間に応じて異なるように設定されている。
【００６１】
より詳細には、各キーＫ１〜Ｋ６の押し下げ時間が、第１の長押し時間未満である場合には（図中、「通常押し」と示す）、１だけ増加あるいは減少する処理が行われる。具体的には、第１キーＫ１が通常押しされた場合には、市外局番の番号が＋１される。また、第４キーＫ４が通常押しされた場合には、市外局番の番号が−１される。
【００６２】
また、各キーＫ１〜Ｋ６の押し下げ時間が、第１の長押し時間以上であって、第２の長押し時間未満である場合には（図中、「長押し」と示す）、対応する数値を１０だけ増加あるいは減少する処理が行われる。具体的には、第２キーＫ１が長押しされた場合には、市内局番の番号が＋１０される。また、第３キーＫ３が長押しされた場合には、端末番号が＋１０される。
【００６３】
さらに、各キーＫ１〜Ｋ６の押し下げ時間が、第２の長押し時間以上である場合には（図中、「超長押し」と示す）である場合には、対応する数値を１００だけ増加あるいは減少する処理が行われる。具体的には、第５キーＫ５が超長押しされた場合には、市内局番が−１００される。また、第６キーＫ６が超長押しされた場合には、端末番号が−１００される。
さらに、第１キーＫ１と、第４キーＫ４と、を同時、かつ、押し下げ時間が、第１の長押し時間未満である場合には（図中、「同時押し」と示す）、現在入力されている市外局番の上位桁に「０」を挿入する市外局番部ゼロパディング処理がなされる。
【００６４】
同様に第２キーＫ２および第５キーＫ５を同時押しすると、現在入力されている市内局番の未入力の上位桁に「０」を挿入する市内局番部ゼロパディング処理がなされる。
また、第３キーＫ３および第６キーＫ６を同時押しすると、現在入力されている端末番号の未入力の上位桁に「０」を挿入する端末番号部ゼロパディング処理が同様になされる。
【００６５】
さらにまた、第１キーＫ１と、第４キーＫ４と、を同時、かつ、押し下げ時間が第１の長押し時間以上であって、第２の長押し時間未満である場合には（図中、「同時長押し」と示す）、市外局番をすべて未入力状態に戻す（クリアする）市外局番部クリア処理がなされる。
同様に第２キーＫ２および第５キーＫ５を同時長押しすると、市内局番をすべて未入力状態に戻す（クリアする）市内局番部クリア処理がなされる。
【００６６】
また、第３キーＫ３および第６キーＫ６を同時長押しすると、端末番号をすべて未入力状態に戻す（クリアする）端末番号部クリア処理がなされる。
他の処理については第１実施形態と同様であり、本第２実施形態によれば、第１実施形態と同様に、短時間で任意の電話番号を容易に入力することが可能となる。
【００６７】
また、電話番号の入力にテンキーを用いる必要がないので、キー数を減少させることができ、キーの設置面積が狭くても大型のキーを用いることができ、操作性を向上させることができる。
さらに電話番号を各々４桁の数字に分割して入力するので、入力しようとする数値の変化状態の予測が容易であり、操作手順を容易に把握できる。
【００６８】
［３］実施形態の変形例
［３．１］第１変形例
以上の説明においては、電話番号を４桁ずつ、３組の数字列としていたが、電話番号をそれぞれ複数桁の数字で構成されるｎ組（ｎは２以上の整数）の数字列に論理的に分割した場合にも同様に適用が可能である。
【００６９】
すなわち、電話番号を市外局番、市内局番、端末番号などのようにその内容に応じて分ける必要はなく、任意の数字列に論理的に分割した場合にも同様に適用が可能であり、例えば、市外局番、市内局番、端末番号などの分類を有しない携帯電話の電話番号の入力にも適用が可能である。
【００７０】
［３．２］第２変形例
以上の説明においては、操作部である第１キーＫ１〜第６キーの操作態様（通常押し、長押し、超長押し）に応じて対応する数字列が表す数値（＝市外局番、市内局番あるいは端末番号）を更新する際の増分あるいは減少分として、１、１０あるいは１００とした場合を説明したが、例えば、操作態様を４種類とし、増分あるいは減少分として、１、１０、５０、１００としたり、１、１０、１００、１０００とするなど、適宜変更が可能である。
【００７１】
また、操作態様が３種類の場合には、キーの押し下げ時間が、第１の長押し時間未満である場合には第１所定値であり、第１の長押し時間以上であって、第２の長押し時間未満である場合には、第１の所定値より大きい第２の所定値であり、第２の長押し時間以上である場合には、第２の所定値より大きい第３の所定値であるようにすればよい。
【００７２】
［３．３］第３変形例
以上の説明においては、ハンズフリー通話装置を例として説明したが、電話ユニットを内蔵した車載用オーディオ機器等についても同様に適用が可能である。
【００７３】
［３．４］第４変形例
以上の説明においては、電話番号入力装置として機能するハンズフリー通話装置１１を制御するための制御プログラムが制御装置１２を構成する予めＲＯＭに記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高いハンズフリー通話装置を構成することが可能となる。
【図面の簡単な説明】
【００７４】
【図１】実施形態のハンズフリー通話システムの概要構成ブロック図である。
【図２】第１実施形態のハンズフリー通話装置の一例の正面図である。
【図３】第１実施形態におけるシックスキーの操作対応説明図である。
【図４】第１実施形態のメイン処理フローチャートである。
【図５】電話番号入力処理の処理フローチャートである。
【図６】ゼロパディング処理の処理フローチャートである。
【図７】第２実施形態のハンズフリー通話装置の一例の正面図である。
【図８】第２実施形態におけるシックスキーの操作対応説明図である。
【符号の説明】
【００７５】
１００…ハンズフリー通話システム
１０…携帯電話端末
１１…ハンズフリー通話装置
１２…制御装置
１３…マイク
１４…スピーカ
１５…表示装置
１６…シックスキー
１７…操作入力部
２０…正面パネル
２４…ディスプレイ
２５…電話（ＴＥＬ）キー
Ｋ１〜Ｋ６…第１キー〜第６キー
【図１】
2005244284.tif 000003
【図２】
2005244284.tif 000004
【図３】
2005244284.tif 000005
【図４】
2005244284.tif 000006
【図５】
2005244284.tif 000007
【図６】
2005244284.tif 000008
【図７】
2005244284.tif 000009
【図８】
2005244284.tif 000010
【手続補正書】
【提出日】平成16年3月30日(2004.3.30)
【手続補正１】
【補正対象書類名】明細書
【補正対象項目名】００２４
【補正方法】変更
【補正の内容】
【００２４】
また、各キーＫ１〜Ｋ６の押し下げ時間が、第１の長押し時間以上であって、第２の長押し時間未満である場合には（図中、「長押し」と示す）、対応する数値を１０だけ増加あるいは減少する処理が行われる。具体的には、第２キーＫ２が長押しされた場合には、市外局番の番号が−１０される。また、第３キーＫ３が長押しされた場合には、市内局番の番号が＋１０される。
【手続補正２】
【補正対象書類名】明細書
【補正対象項目名】００６２
【補正方法】変更
【補正の内容】
【００６２】
また、各キーＫ１〜Ｋ６の押し下げ時間が、第１の長押し時間以上であって、第２の長押し時間未満である場合には（図中、「長押し」と示す）、対応する数値を１０だけ増加あるいは減少する処理が行われる。具体的には、第２キーＫ２が長押しされた場合には、市内局番の番号が＋１０される。また、第３キーＫ３が長押しされた場合には、端末番号が＋１０される。
【手続補正３】
【補正対象書類名】図面
【補正対象項目名】図６
【補正方法】変更
【補正の内容】
【図６】
2005244284.tif 000011